(57)【要約】【課題】パスワードの素早い入力操作を実現できる携帯端末装置を提供する。【解決手段】携帯電話機１は、表示面３と、表示面３へのタッチ操作を検出するタッチ検出部１４と、複数桁の数字からなるパスワードを入力するためにタッチ操作される第１入力キー群１００を表示面３に表示する表示制御部２１と、第１入力キー群１００に対するタッチ操作に基づいてパスワードを解除する解除制御部２２と、を備える。解除制御部２２は、タッチ位置の移動を伴う第１タッチ操作（フリック操作またはスライド操作）が第１入力キー群１００を構成する第１キー１０１に対して行われた場合、当該第１キー１０１に割り当てられた数字と、タッチ位置の移動方向に割り当てられた数字とを、パスワードの２桁分の数字として受け付ける。【選択図】図８
2014048738.tif 000002
【特許請求の範囲】
【請求項１】
表示面と、
前記表示面へのタッチ操作を検出する検出部と、
複数桁の構成要素からなるパスワードを入力するためにタッチ操作される第１オブジェクト群を前記表示面に表示する表示制御部と、
前記第１オブジェクト群に対するタッチ操作に基づいて前記パスワードを解除する解除制御部と、を備え、
前記解除制御部は、
タッチ位置の移動を伴う第１タッチ操作が前記第１オブジェクト群を構成する第１オブジェクトに対して行われた場合、当該第１オブジェクトに割り当てられた前記構成要素と、前記タッチ位置の移動方向に割り当てられた前記構成要素とを、前記パスワードの２桁分の前記構成要素として受け付ける、
ことを特徴とする携帯端末装置。
【請求項２】
請求項１に記載の携帯端末装置において、
前記解除制御部は、前記第１オブジェクトに割り当てられた前記構成要素と前記移動方向に割り当てられた前記構成要素とを、連続する２つの桁の前記構成要素として受け付ける、
ことを特徴とする携帯端末装置。
【請求項３】
請求項１に記載の携帯端末装置において、
前記パスワードは、複数の前記構成要素からなる第１グループと、当該第１グループに続く、複数の前記構成要素からなる第２グループと含み、
前記解除制御部は、前記第１オブジェクトに割り当てられた前記構成要素を第１グループの前記構成要素として受け付け、前記移動方向に割り当てられた前記構成要素を前記第２グループの前記構成要素として受け付ける、
ことを特徴とする携帯端末装置。
【請求項４】
請求項１ないし３の何れか一項に記載の携帯端末装置において、
前記解除制御部は、前記第１タッチ操作と異なる第２タッチ操作が前記第１オブジェクトに対して行われた場合、前記第１オブジェクトに割り当てられた前記構成要素を前記パスワードの１桁分の前記構成要素として受け付ける、
ことを特徴とする携帯端末装置。
【請求項５】
請求項１ないし４の何れか一項に記載の携帯端末装置において、
前記表示制御部は、前記表示面において、複数の第２オブジェクトにより構成された第２オブジェクト群を前記第１オブジェクト群の周囲に表示し、
前記第２オブジェクトは、前記移動方向が何れの前記構成要素に割り当てられているかを視覚的に通知する、
ことを特徴とする携帯端末装置。
【請求項６】
請求項５に記載の携帯端末装置において、
前記各第２オブジェクトには、それぞれ前記構成要素が割り当てられ、
前記解除制御部は、第３タッチ操作が前記第２オブジェクトに対して行われた場合、前記第２オブジェクトに割り当てられた前記構成要素を前記パスワードの１桁分の前記構成要素として受け付ける、
ことを特徴とする携帯端末装置。
【請求項７】
請求項５または６に記載の携帯端末装置において、
前記表示制御部は、
前記表示面に前記構成要素が受け付けられたことを知らせるための表示領域を前記パスワードの桁数分表示するとともに、前記構成要素が受け付けられる度に、対応する表示領域に所定の画像を表示し、
さらに、前記第２オブジェクトを、少なくとも両隣の前記第２オブジェクトと色が異なるように色付けし、
さらに、前記第１タッチ操作により前記第１オブジェクトに割り当てられた前記構成要素と前記移動方向に割り当てられた前記構成要素とが受け付けられた場合、受け付けられた２つの前記構成要素に対応する前記表示領域を、前記移動方向に対応する前記第２オブジェクトと同じ色に色付けする、
ことを特徴とする携帯端末装置。
【請求項８】
請求項１ないし７の何れか一項に記載の携帯端末装置において、
前記表示制御部は、受け付けられた前記構成要素を取り消すための第３オブジェクトを前記表示面に表示し、
前記解除制御部は、第４タッチ操作が前記第３オブジェクトに対して行われた場合、直前の操作が第１タッチ操作であるときには、前記第１オブジェクトに割り当てられた前記構成要素と前記移動方向に割り当てられた前記構成要素の両方の受け付けを取り消す、
ことを特徴とする携帯端末装置。
【請求項９】
表示面と、前記表示面へのタッチ操作を検出する検出部と、を備え、複数桁の構成要素からなるパスワードを入力するためにタッチ操作される第１オブジェクト群を前記表示面に表示し、前記第１オブジェクト群に対するタッチ操作に基づいて前記パスワードを解除する携帯端末装置のコンピュータに、
タッチ位置の移動を伴う第１タッチ操作が前記第１オブジェクト群を構成する第１オブジェクトに対して行われたか否かを判定する機能と、
前記第１タッチ操作が前記第１オブジェクトに対して行われた場合、当該第１オブジェクトに割り当てられた前記構成要素と、前記タッチ位置の移動方向に割り当てられた前記構成要素とを、前記パスワードの２桁分の前記構成要素として受け付ける機能と、
を付与するプログラム。
【請求項１０】
表示面に表示された第１オブジェクト群に対するタッチ操作に基づいて、複数桁の構成要素からなるパスワードを入力するためのパスワード入力方法であって、
タッチ位置の移動を伴う第１タッチ操作が前記第１オブジェクト群を構成する第１オブジェクトに対して行われたか否かを判定するステップと、
前記第１タッチ操作が前記第１オブジェクトに対して行われた場合、当該第１オブジェクトに割り当てられた前記構成要素と、前記タッチ位置の移動方向に割り当てられた前記構成要素とを、前記パスワードの２桁分の前記構成要素として受け付けるステップと、
を含むパスワード入力方法。
【発明の詳細な説明】
【技術分野】
【０００１】
本発明は、携帯電話機、ＰＤＡ（Personal Digital Assistant）、タブレットＰＣ（Tablet PC）、電子書籍端末等の携帯端末装置に関する。また、本発明は、かかる携帯端末装置に用いて好適な、プログラムおよびパスワード入力方法に関する。
【背景技術】
【０００２】
従来、携帯電話機等の携帯端末装置では、個人情報の保護が図れるように、パスワードの設定が可能とされている（たとえば、特許文献１参照）。
【０００３】
パスワードは、たとえば、複数桁の数字により構成される。携帯端末装置には、数字を入力するための入力キー群が設けられる。ユーザは、入力キー群の各キーを操作し、１桁ずつ数字を入力する。
【先行技術文献】
【特許文献】
【０００４】
【特許文献１】特開２０１１−１３４１４９号公報
【発明の概要】
【発明が解決しようとする課題】
【０００５】
パスワードが設定されている場合、非使用状態の携帯端末装置をユーザが使用するためには、上記のように、パスワードを入力する操作が必要となる。このパスワードの入力操作を素早く行うことが可能となれば、携帯端末装置を素早く使用可能な状態にできるので、携帯端末装置の利便性を高めることができる。
【０００６】
そこで、本発明は、パスワードの素早い入力操作を実現できる携帯端末装置、プログラムおよびパスワード入力方法を提供することを目的とする。
【課題を解決するための手段】
【０００７】
本発明の第１の態様に係る携帯端末装置は、表示面と、前記表示面へのタッチ操作を検出する検出部と、複数桁の構成要素からなるパスワードを入力するためにタッチ操作される第１オブジェクト群を前記表示面に表示する表示制御部と、前記第１オブジェクト群に対するタッチ操作に基づいて前記パスワードを解除する解除制御部と、を備える。ここで、前記解除制御部は、タッチ位置の移動を伴う第１タッチ操作が前記第１オブジェクト群を構成する第１オブジェクトに対して行われた場合、当該第１オブジェクトに割り当てられた前記構成要素と、前記タッチ位置の移動方向に割り当てられた前記構成要素とを、前記パスワードの２桁分の前記構成要素として受け付ける。
【０００８】
ここで、パスワードの構成要素とは、パスワードを構成する数字、文字、記号等を意味する。さらに、上下左右等、第１オブジェクトからの方向も、パスワードの構成要素の概念に含まれる。
【０００９】
本態様に係る携帯端末装置において、前記解除制御部は、前記第１オブジェクトに割り当てられた前記構成要素と前記移動方向に割り当てられた前記構成要素とを、連続する２つの桁の前記構成要素として受け付けるような構成とされ得る。
【００１０】
本態様に係る携帯端末装置において、前記パスワードは、複数の前記構成要素からなる第１グループと、当該第１グループに続く、複数の前記構成要素からなる第２グループと
を含み得る。この場合、前記解除制御部は、前記第１オブジェクトに割り当てられた前記構成要素を第１グループの前記構成要素として受け付け、前記移動方向に割り当てられた前記構成要素を前記第２グループの前記構成要素として受け付ける。
【００１１】
本態様に係る携帯端末装置において、前記解除制御部は、前記第１タッチ操作と異なる第２タッチ操作が前記第１オブジェクトに対して行われた場合、前記第１オブジェクトに割り当てられた前記構成要素を前記パスワードの１桁分の前記構成要素として受け付けるような構成とされ得る。
【００１２】
本態様に係る携帯端末装置において、前記表示制御部は、前記表示面において、複数の第２オブジェクトにより構成された第２オブジェクト群を前記第１オブジェクト群の周囲に表示するような構成とされ得る。前記第２オブジェクトは、前記移動方向が何れの前記構成要素に割り当てられているかを視覚的に通知する。
【００１３】
このように、第２オブジェクト群が表示される構成とした場合、前記各第２オブジェクトには、それぞれ前記構成要素が割り当てられ得る。この場合、前記解除制御部は、第３タッチ操作が前記第２オブジェクトに対して行われた場合、前記第２オブジェクトに割り当てられた前記構成要素を前記パスワードの１桁分の前記構成要素として受け付ける。
【００１４】
さらに、第２オブジェクト群が表示される構成とした場合、前記表示制御部は、前記表示面に前記構成要素が受け付けられたことを知らせるための表示領域を前記パスワードの桁数分表示するとともに、前記構成要素が受け付けられる度に、対応する表示領域に所定の画像を表示するような構成とされ得る。この場合、表示制御部は、さらに、前記第２オブジェクトを、少なくとも両隣の前記第２オブジェクトと色が異なるように色付けする。表示制御部は、さらに、前記第１タッチ操作により前記第１オブジェクトに割り当てられた前記構成要素と前記移動方向に割り当てられた前記構成要素とが受け付けられた場合、受け付けられた２つの前記構成要素に対応する前記表示領域を、前記移動方向に対応する前記第２オブジェクトと同じ色に色付けする。
【００１５】
本態様に係る携帯端末装置において、前記表示制御部は、受け付けられた前記構成要素を取り消すための第３オブジェクトを前記表示面に表示するような構成とされ得る。前記解除制御部は、第４タッチ操作が前記第３オブジェクトに対して行われた場合、直前の操作が第１タッチ操作であるときには、前記第１オブジェクトに割り当てられた前記構成要素と前記移動方向に割り当てられた前記構成要素の両方の受け付けを取り消す。
【００１６】
本発明の第２の態様に係るプログラムは、表示面と、前記表示面へのタッチ操作を検出する検出部と、を備え、複数桁の構成要素からなるパスワードを入力するためにタッチ操作される第１オブジェクト群を前記表示面に表示し、前記第１オブジェクト群に対するタッチ操作に基づいて前記パスワードを解除する携帯端末装置のコンピュータに、タッチ位置の移動を伴う第１タッチ操作が前記第１オブジェクト群を構成する第１オブジェクトに対して行われたか否かを判定する機能と、前記第１タッチ操作が前記第１オブジェクトに対して行われた場合、当該第１オブジェクトに割り当てられた前記構成要素と、前記タッチ位置の移動方向に割り当てられた前記構成要素とを、前記パスワードの２桁分の前記構成要素として受け付ける機能と、を付与する。
【００１７】
本発明の第３の態様は、表示面に表示された第１オブジェクト群に対するタッチ操作に基づいて、複数桁の構成要素からなるパスワードを入力するためのパスワード入力方法に関する。本態様に係るパスワード入力方法は、タッチ位置の移動を伴う第１タッチ操作が前記第１オブジェクト群を構成する第１オブジェクトに対して行われたか否かを判定するステップと、前記第１タッチ操作が前記第１オブジェクトに対して行われた場合、当該第
１オブジェクトに割り当てられた前記構成要素と、前記タッチ位置の移動方向に割り当てられた前記構成要素とを、前記パスワードの２桁分の前記構成要素として受け付けるステップと、を含む。
【発明の効果】
【００１８】
本発明によれば、パスワードの素早い入力操作を実現できる携帯端末装置、プログラムおよびパスワード入力方法を提供することができる。
【００１９】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００２０】
【図１】実施の形態に係る、携帯電話機の構成を示す図である。
【図２】実施の形態に係る、携帯電話機の全体構成を示すブロック図である。
【図３】実施の形態に係る、パスワード入力画面について説明するための図である。
【図４】実施の形態に係る、対応テーブルを示す図である。
【図５】実施の形態に係る、パスワード解除処理の処理手順を示すフローチャートである。
【図６】実施の形態に係る、パスワード解除処理に含まれる２桁入力処理および１桁入力処理の処理手順を示すフローチャートである。
【図７】実施の形態に係る、パスワード解除処理に含まれるクリア処理および全クリア処理の処理手順を示すフローチャートである。
【図８】実施の形態に係る、４桁のパスワードが２回のフリック操作によって入力される例について説明するための図である。
【図９】実施の形態に係る、４桁のパスワードが２回のタップ操作と１回のフリック操作によって入力される例について説明するための図である。
【図１０】実施の形態に係る、８桁のパスワードが４回のフリック操作によって入力される例について説明するための図である。
【図１１】変更例１に係る、パスワード解除処理について説明するための図である。
【図１２】変更例１に係る、８桁のパスワードが４回のフリック操作によって入力される例について説明するための図である。
【図１３】その他の変更例に係る、パスワード解除処理について説明するための図である。
【図１４】その他の変更例に係る、パスワード設定画面について説明するための図である。
【発明を実施するための形態】
【００２１】
以下、本発明の実施形態について、図面を参照して説明する。
【００２２】
図１は、携帯電話機１の構成を示す図である。図１（ａ）および（ｂ）は、それぞれ、携帯電話機１の正面図および背面図である。
【００２３】
以下、説明の便宜上、図１に示すように、キャビネット２の長手方向を上下方向と定義し、キャビネット２の短手方向を左右方向と定義する。
【００２４】
携帯電話機１は、キャビネット２と、表示面３と、マイクロフォン４と、通話スピーカ５と、キー操作部６と、外部スピーカ７とを備えている。
【００２５】
キャビネット２は、正面から見て、ほぼ長方形状を有する。キャビネット２の正面には
、後述する表示部１３の表示面３が配されている。表示面３には、各種の画像（画面）が表示される。
【００２６】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気信号を生成する。通話スピーカ５からは、音声が出力される。出力された音声は、キャビネット２の正面に形成された出力孔５ａを通じて外部に放出される。
【００２７】
キャビネット２の正面には、キー操作部６が設けられている。キー操作部６は、複数の操作キーから構成されている。各操作キーには、実行中のプログラムを操作するための各種の機能が割り当てられる。
【００２８】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００２９】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９とを備えている。
【００３０】
記憶部１２は、ＲＯＭ、ＲＡＭ、外部メモリー等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、地図、ゲーム、スケジュール、等）を含む。プログラムは、メーカによって携帯電話機１の製造時に記憶部１２に記憶される他、ユーザによって通信網や記憶媒体を介して記憶部１２に記憶される。
【００３１】
記憶部１２には、プログラムの実行の際、一時的に利用または生成されるデータを記憶するワーキング領域も含まれる。
【００３２】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９等）を制御する。
【００３３】
表示部１３は、液晶ディスプレイ等から構成される。表示部１３は、制御部１１からの制御信号と画像信号に基づき、表示面３に画像（画面）を表示する。表示部１３は、液晶ディスプレイに限らず、有機ＥＬディスプレイ等、他の表示装置から構成されてもよい。
【００３４】
タッチ検出部１４は、表示面３への指の接触を検出するタッチパネル等から構成されている。タッチパネルは、透明なシート状に形成され、表示面３上を覆いキャビネット２の正面に配される。タッチパネルは、静電容量式、超音波式、感圧式、抵抗膜式、光検知式等、各種方式のタッチパネルであってよい。
【００３５】
タッチ検出部１４は、前記表示面３へのユーザによるタッチ操作を受け付ける。即ち、タッチ検出部１４は、指が触れた表示面３上の位置をタッチ位置として検出し、検出したタッチ位置に応じた位置信号を制御部１１へ出力する。
【００３６】
ユーザは、表示面３に指を触れることにより各種のタッチ操作を行うことができる。タッチ操作の種類として、タップ操作、フリック操作、スライド操作等が挙げられる。タッ
プ操作は、表示面３に指を接触させた後、短時間のうちに離す操作である。フリック操作は、表示面３を指で任意の方向に弾く操作である。スライド操作は、表示面３に指を接触させたまま任意の方向へ移動させる操作である。フリック操作およびスライド操作は、タッチ位置の移動を伴うタッチ操作である。
【００３７】
タッチ操作についてより具体的に説明する。たとえば、タッチ検出部１４により表示面３に対するタッチ位置が検出された後、予め定めた第１時間以内にタッチ位置が検出されなくなった場合、制御部１１によりタップ操作がなされたと判定される。タッチ検出部１４により表示面３に対するタッチ位置が検出され、予め定めた第２時間以内に予め定めた第１距離以上タッチ位置が移動した後、タッチ位置が検出されなくなった場合、制御部１１によりフリック操作がなされたと判定される。タッチ検出部１４により表示面３に対するタッチ位置が検出された後、予め定めた第２距離以上タッチ位置が移動すると、制御部１１によりスライド操作がなされたと判定される。
【００３８】
音声入力部１５は、マイクロフォン４等から構成される。音声入力部１５は、マイクロフォン４からの電気信号を音声処理部１７へ出力する。
【００３９】
音声出力部１６は、通話スピーカ５、外部スピーカ７等から構成される。音声出力部１６には、音声処理部１７からの電気信号が入力され、通話スピーカ５または外部スピーカ７から音（音声、報知音等）が出力される。
【００４０】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４１】
キー入力部１８は、キー操作部６の各操作キーが押下されたときに、押下された操作キーに応じた信号を制御部１１へ出力する。
【００４２】
通信部１９は、通話や通信を行うため、信号を変換するための回路、電波を送受信するアンテナ等を備える。通信部１９は、制御部１１から入力される通話や通信のための信号を無線信号に変換し、変換された無線信号を、アンテナを介して基地局や他の通信装置等の通信先へ送信する。さらに、通信部１９は、アンテナを介して受信した無線信号を制御部１１が処理できる形式の信号へ変換し、変換された信号を制御部１１へ出力する。
【００４３】
本実施の形態の携帯電話機１は、個人情報を保護するため、セキュリティロック機能を備えている。セキュリティロック機能は、パスワードの解除が行われないと、ホーム画面など、操作可能な画面に移行せず、携帯電話機１が使用できない機能である。
【００４４】
キー操作が所定時間なされず、携帯電話機１が非使用状態となった場合、即ち、表示面３に対するタッチ操作やキー操作部６に対するキー操作が所定時間行われなった場合、省電力機能が実行され、表示部１３が消灯され、表示面３に対するタッチ操作が受け付けられなくなる。
【００４５】
セキュリティロック機能が設定されている場合、キー操作部６の所定のキーを押下する操作等、省電力機能を終了する操作がなされると、制御部１１により、パスワード解除処理が実行される。表示面３には、パスワード入力画面が表示され、ユーザによりパスワードの入力が行われる。入力されたパスワードが予め登録されたパスワードに一致すれば、パスワードが解除される。これにより、画面のロック状態が解除されて、パスワード入力画面から、操作が可能な画面、たとえば、ホーム画面へ表示面３の画面が切り替わる。
【００４６】
パスワード解除処理を実行するため、制御部１１は、表示制御部２１と、解除制御部２２とを備えている。
【００４７】
表示制御部２１は、パスワード解除処理において、パスワード入力画面を表示面３に表示する。
【００４８】
図３は、パスワード入力画面について説明するための図である。図３（ａ）に示すように、パスワード入力画面は、第１入力キー群１００、クリアキー２００、全クリアキー３００、ＯＫキー４００、第２入力キー群５００、および表示ボックス群６００を含む。
【００４９】
第１入力キー群１００は、パスワード入力画面のほぼ中央に配されており、０番ないし９番の１０個の第１キー１０１により構成されている。
【００５０】
０番ないし９番の各第１キー１０１には、それぞれ、パスワードを構成する構成要素である「０」から「９」の数字が割り当てられている。各第１キー１０１には、その表面に、割り当てられた数字が描かれている。
【００５１】
クリアキー２００は０番の第１キー１０１の左方に配されており、全クリアキー３００は、０番の第１キー１０１の右方に配されている。ＯＫキー４００は、０番の第１キー１０１の下方に配されている。
【００５２】
第２入力キー群５００は、第１入力キー群１００の周囲に配されている。第２入力キー群５００は、０番ないし９番の１０個の第２キー５０１により構成されている。１０個の第２キー５０１が、表示面３の周縁部に環状に並べられている。
【００５３】
０番ないし９番の各第２キー５０１には、それぞれ、パスワードを構成する構成要素である「０」から「９」の数字が割り当てられている。各第２キー５０１には、その表面に、割り当てられた数字が描かれている。
【００５４】
さらに、各第２キー５０１には、両隣の第２キー５０１と色が異なるように色付けがなされている。
【００５５】
表示ボックス群６００は、第１入力キー群１００の上方に配されている。表示ボックス群６００は、パスワードの桁数分の表示ボックス６０１が横方向に並べられることにより構成されている。たとえば、パスワードが４桁の構成要素により構成されている場合、図３（ａ）のように、４つの表示ボックス６０１により表示ボックス群６００が構成される。
【００５６】
図３（ｂ）には、第１キー１０１から０番ないし９番の第２キー５０１へそれぞれ向く角度範囲（α０〜α９）が一点鎖線にて示されている。図３（ｂ）では、１番の第１キー１０１についての角度範囲が例示されており、他の第１キー１０１および表示ボックス群６００について、図示が省略されている。
【００５７】
第１キー１０１に対してフリック操作またはスライド操作が行われた場合のそれぞれの角度範囲に含まれるタッチ位置の移動方向に、それぞれの角度範囲に対応する第２キー５０１に割り当てられたパスワードの構成要素と同じ構成要素が割り当てられている。即ち、各第１キー１０１から０番の第２キー５０１へ向く角度範囲（α０）に含まれる移動方向には、「０」の数字が割り当てられている。同様に、各第１キー１０１から１番ないし９番の第２キー５０１へ向く角度範囲（α１〜α９）に含まれる移動方向には、それぞれ
、「１」から「９」の数字が割り当てられている。
【００５８】
記憶部１２には、図４に示すような、各移動方向、即ち、それぞれの角度範囲（α０〜α９）と各構成要（０〜９）との対応関係を示す対応テーブル１２ａが記憶されている。第１キー１０１毎に各第２キー５０１との配置関係が異なっているため、第１キー１０１毎に各第２キー５０１に向く角度範囲も異なっている。よって、対応テーブル１２ａには、０番ないし９番の第１キー１０１毎に、各構成要素（０から９）に対応する角度範囲（α０〜α９）を表すデータ（data00〜data99）が記憶されている。
【００５９】
上述のように、タッチ位置の移動方向には、そのタッチ位置が含まれる角度範囲に対応する第２キー５０１に割り当てられた構成要素（数字）と同じ構成要素（数字）が割り当てられている。よって、第２キー５０１は、パスワードを入力するためのキーとしての機能の他、第１キー１０１に対してフリック操作またはスライド操作がなされときのタッチ位置の各移動方向に、それぞれパスワードの何れの構成要素（数字）が割り当てられているかをユーザに視覚的に通知する機能を果たす。たとえば、１番の第２キー５０１の方向にフリック操作またはスライド操作が行われれば、「１」が入力されることがユーザに認識される。
【００６０】
解除制御部２２は、パスワード解除処理において、第１入力キー群１００および第２入力キー群５００に対するタッチ操作に基づいてパスワードを解除する。
【００６１】
図５は、パスワード解除処理の処理手順を示すフローチャートである。図６（ａ）および（ｂ）は、それぞれ、パスワード解除処理に含まれる２桁入力処理および１桁入力処理の処理手順を示すフローチャートである。図７（ａ）および（ｂ）は、それぞれ、パスワード解除処理に含まれるクリア処理および全クリア処理の処理手順を示すフローチャートである。
【００６２】
以下、図５ないし図７を参照して、パスワード解除処理について説明する。
【００６３】
処理が開始されると、表示制御部２１は、図３（ａ）に示すパスワード入力画面を表示面３に表示する（Ｓ１０１）。
【００６４】
解除制御部２２は、何れかの第１キー１０１に対してフリック操作またはスライド操作がなされたか否かを判定する（Ｓ１０２）。また、解除制御部２２は、何れかの第１キー１０１または第２キー５０１に対してタップ操作がなされたか否かを判定する（Ｓ１０３）。さらに、解除制御部２２は、クリアキー２００または全クリアキー３００に対してタップ操作がなされたか否かを判定する（Ｓ１０４、Ｓ１０５）。
【００６５】
ユーザは、一度に２桁の数字を入力する場合、１桁目の数字に対応する第１キー１０１に対して２桁目の数字が表示された第２キー５０１の方向にフリック操作またはスライド操作を行う。
【００６６】
解除制御部２２は、何れかの第１キー１０１に対してフリック操作またはスライド操作がなされたと判定すると（Ｓ１０２：ＹＥＳ）、２桁入力処理を実行する（Ｓ１０６）。図６（ａ）を参照して、２桁入力処理について説明する。
【００６７】
解除制御部２２は、数字の入力が可能であるか否かを判定する（Ｓ２０１）。フリック操作またはスライド操作がなされた場合、２つの数字が同時にされるため、パスワードの最後から２番目の桁の数字が未だ受け付けられていなければ、入力が可能である。最後から２番目の桁の数字が既に受け付けられていれば、入力が不可能となる。
【００６８】
解除制御部２２は、入力が可能であると判定すると（Ｓ２０１：ＹＥＳ）、第１キー１０１に対してなされたフリック操作またはスライド操作において、タッチ位置が移動した距離を求める（Ｓ２０２）。ユーザが第１キー１０１に最初に指をタッチしたときのタッチ位置から指の移動後にリリースしたときのリリース直前のタッチ位置までの距離がタッチ位置の移動距離となる。
【００６９】
解除制御部２２は、移動距離が所定の閾値を超えていなければ（Ｓ２０３：ＮＯ）、ユーザの意図した操作でないとして、操作を無効とする。一方、解除制御部２２は、移動距離が所定の閾値を超えていれば（Ｓ２０３：ＹＥＳ）、最初のタッチ位置とリリース直前のタッチ位置とに基づいてタッチ位置の移動方向を求める（Ｓ２０４）。
【００７０】
次に、解除制御部２２は、第１キー１０１に割り当てられた数字を、パスワードにおける未入力の最上位の桁の数字として受け付ける（Ｓ２０５）。さらに、解除制御部２２は、対応テーブル１２ａを参照して、タッチ位置の移動方向に割り当てられた数字を取得し、取得した数字を、第１キー１０１に割り当てられた数字の次の桁の数字として受け付ける（Ｓ２０６）。
【００７１】
表示制御部２１は、パスワード入力画面において、受け付けられた２つの数字に対応する２つの表示ボックス６０１に、数字の替わりに、「＊」の記号を表示する（Ｓ２０７）。さらに、表示制御部２１は、２つの表示ボックス６０１を、所定時間、タッチ位置の移動方向に対応する第２キー５０１と同じ色に色付けする（Ｓ２０８）。なお、表示ボックス６０１には、数字（パスワードの構成要素）に替わるものであれば、「＊」以外の記号や別の画像が表示されてもよい。
【００７２】
２桁入力処理が終了すると、パスワード解除処理におけるステップＳ１０２の処理に戻る。
【００７３】
ユーザは、一度に１桁の数字を入力する場合、所望の数字に対応する第１キー１０１または第２キー５０１に対してタップ操作を行う。
【００７４】
解除制御部２２は、何れかの第１キー１０１または第２キー５０１に対してタップ操作がなされたと判定すると（Ｓ１０３：ＹＥＳ）、１桁入力処理を実行する（Ｓ１０７）。図６（ｂ）を参照して、１桁入力処理について説明する。
【００７５】
解除制御部２２は、数字の入力が可能であるか否かを判定する（Ｓ３０１）。パスワードの最後の桁の数字が未だ受け付けられていなければ、入力が可能である。最後の桁の数字が既に受け付けられていれば、入力が不可能となる。
【００７６】
解除制御部２２は、入力が可能であると判定すると（Ｓ３０１：ＹＥＳ）、タッチされたキー（第１キー１０１または第２キー５０１）に割り当てられた数字を、パスワードにおける未入力の最上位の桁の数字として受け付ける（Ｓ３０２）。表示制御部２１は、パスワード入力画面において、受け付けられた数字に対応する表示ボックス６０１に「＊」を表示する（Ｓ３０３）。
【００７７】
１桁入力処理が終了すると、パスワード解除処理におけるステップＳ１０２の処理に戻る。
【００７８】
ユーザは、誤った数字を入力してしまった場合、直前に入力した数字を削除するときには、クリアキー２００に対してタップ操作を行い、入力された全ての数字を削除するとき
には、全クリアキー３００に対してタップ操作を行う。
【００７９】
解除制御部２２は、クリアキー２００に対してタップ操作がなされたと判定すると（Ｓ１０４：ＹＥＳ）、クリア処理を実行する（Ｓ１０８）。図７（ａ）を参照して、クリア処理について説明する。
【００８０】
解除制御部２２は、数字が入力されていると判定すると（Ｓ４０１：ＹＥＳ）、直前の操作により入力された数字を削除する（Ｓ４０２）。表示制御部２１は、削除された数字に対応する表示ボックス６０１の「＊」を消去する（Ｓ４０３）。
【００８１】
直前の操作が第１キー１０１に対するフリック操作またはスライド操作であった場合、入力された２つの数字が同時に削除され、削除された２つの数字に対応する表示ボックス６０１の「＊」が消去される。一方、直前の操作が第１キー１０１または第２キー５０１に対するタップ操作であった場合、１つの数字が削除され、削除された１つ数字に対応する表示ボックス６０１の「＊」が消去される。
【００８２】
解除制御部２２は、全クリアキー３００に対してタップ操作がなされたと判定すると（Ｓ１０５：ＹＥＳ）、全クリア処理を実行する（Ｓ１０９）。図７（ｂ）を参照して、全クリア処理について説明する。
【００８３】
解除制御部２２は、数字が入力されていると判定すると（Ｓ５０１：ＹＥＳ）、入力されている全ての数字を削除する（Ｓ５０２）。表示制御部２１は、全ての表示ボックス６０１の「＊」を消去する（Ｓ５０３）。
【００８４】
クリア処理または全クリア処理が終了すると、パスワード解除処理におけるステップＳ１０２の処理に戻る。
【００８５】
ユーザは、パスワードの全て桁の数字を入力すると、ＯＫキー４００に対してタップ操作を行う。
【００８６】
図５に戻り、解除制御部２２は、ＯＫキー４００に対してタップ操作がなされたと判定すると（Ｓ１１０：ＹＥＳ）、パスワードの全て桁の入力が完了しているか否かを判定する（Ｓ１１１）。さらに、解除制御部２２は、全て桁の入力が完了していると判定すると（Ｓ１１１：ＹＥＳ）、入力されたパスワードが予め登録された登録パスワードに一致しているか否を判定する（Ｓ１１２）。
【００８７】
解除制御部２２は、入力されたパスワードが登録パスワードに一致していると判定すると（Ｓ１１２：ＹＥＳ）、パスワードを解除する（Ｓ１１３）。これにより、パスワード解除処理が終了する。
【００８８】
一方、解除制御部２２は、入力されたパスワードが登録パスワードに一致していないと判定すると（Ｓ１１２：ＮＯ）、パスワードが誤っていることを外部に報知する（Ｓ１１４）。たとえば、パスワード入力画面上に、パスワードが違うことを知らせるメッセージウィンドウがポップアップ表示される。あるいは、パスワードが違うことを知らせる音声が外部スピーカ７から出力される。
【００８９】
解除制御部２２は、入力された全ての数字を削除する（Ｓ１１５）。さらに、表示制御部２１は、全ての表示ボックス６０１の「＊」を消去する（Ｓ１１６）。その後、ステップＳ１０２の処理に戻り、再び、最初からパスワードの受け付けが開始される。
【００９０】
図８は、４桁のパスワードが２回のフリック操作によって入力される例について説明するための図である。この例では、パスワードが、「１２３４」に設定されている。
【００９１】
ユーザは、まず、１番の第１キー１０１に対して、２番の第２キー５０１の方向にフリック操作を行う。パスワードの１桁目の数字として「１」が受け付けられ、２桁目の数字として「２」が受け付けられる。１桁目と２桁目の表示ボックス６０１に「＊」が表示され、２つの表示ボックス６０１が、所定時間、２番の第２キー５０１と同じ色に色付けされる。これにより、ユーザは、正しい方向にフリック操作がなされ、正しい数字が入力されたことを認識できる。このとき、２桁目の数字に対応する表示ボックス６０１だけでなく、１桁目の数字に対応する表示ボックス６０１も色付けされるので、表示ボックス６０１の表示からは、第１キー１０１に割り当てられた数字が１桁目の数字にとして入力され、タッチ位置の移動方向に割り当てられた数字が２桁目の数字として入力されることが分からない。
【００９２】
次に、ユーザは、３番の第１キー１０１に対して、４番の第２キー５０１の方向にフリック操作を行う。パスワードの３桁目の数字として「３」が受け付けられ、４桁目の数字として「４」が受け付けられる。３桁目と４桁目の表示ボックス６０１に「＊」が表示され、２つの表示ボックス６０１が、所定時間、４番の第２キー５０１と同じ色に色付けされる。こうして、パスワードの入力が完了する。
【００９３】
なお、最初のフリック操作の後にクリアキー２００に対するタップ操作がなされた場合には、２つの数字が削除されるともに１桁目と２桁目の表示ボックス６０１の「＊」が消去され、パスワード入力画面は、図３（ａ）に示す状態となる。また、２回目のフリック操作の後にクリアキー２００に対するタップ操作がなされた場合には、２つの数字が削除されるともに３桁目と４桁目の表示ボックス６０１の「＊」が消去され、パスワード入力画面は、図８の左側の図に示す状態となる。
【００９４】
図９は、４桁のパスワードが２回のタップ操作と１回のフリック操作によって入力される例について説明するための図である。この例でも、図８の例と同様、パスワードが、「１２３４」に設定されている。
【００９５】
ユーザは、まず、１番の第１キー１０１または１番の第２キー５０１に対してタップ操作を行う。パスワードの１桁目の数字として「１」が受け付けられ、１桁目の表示ボックス６０１に「＊」が表示される。
【００９６】
次に、ユーザは、２番の第１キー１０１に対して、３番の第２キー５０１の方向にフリック操作を行う。パスワードの２桁目の数字として「２」が受け付けられ、３桁目の数字として「３」が受け付けられる。２桁目と３桁目の表示ボックス６０１に「＊」が表示され、２つの表示ボックス６０１が、所定時間、３番の第２キー５０１と同じ色に色付けされる。
【００９７】
次に、ユーザは、４番の第１キー１０１または４番の第２キー５０１に対してタップ操作を行う。パスワードの４桁目の数字として「４」が受け付けられ、４桁目の表示ボックス６０１に「＊」が表示される。こうして、パスワードの入力が完了する。
【００９８】
図１０は、８桁のパスワードが４回のフリック操作によって入力される例について説明するための図である。この例では、パスワードが、「１２３４５６７８」に設定されている。
【００９９】
図１０に示すように、ユーザは、１番の第１キー１０１に対して、２番の第２キー５０
１の方向にフリック操作を行い、次に、３番の第１キー１０１に対して、４番の第２キー５０１の方向にフリック操作を行うことにより、１桁目ないし４桁目の数字「１２３４」を入力できる。さらに、ユーザは、５番の第１キー１０１に対して、６番の第２キー５０１の方向にフリック操作を行い、次に、７番の第１キー１０１に対して、８番の第２キー５０１の方向にフリック操作を行うことにより、５桁目ないし８桁目の数字「５６７８」を入力できる。
【０１００】
このように、４回のフリック操作により８桁のパスワードを入力することができるので、セキュリティ効果を高めるためにパスワードの桁数が増加しても、パスワードの入力操作に要する時間の増加を抑制することができる。
【０１０１】
以上、本実施の形態によれば、第１キー１０１に対する１回のフリック操作またはスライド操作によって、パスワードの２桁分の数字（構成要素）を同時に入力することができる。よって、ユーザは、パスワードの入力を素早く行うことが可能となる。
【０１０２】
さらに、本実施の形態によれば、第１キー１０１または第２キー５０１に対するタップ操作によりパスワードの１桁分の数字（構成要素）を入力することができる。このため、図９に示すように、第１キー１０１に対するフリック操作またはスライド操作と第１キー１０１または第２キー５０１に対するタップ操作との組み合わせによりパスワードの入力が可能となる。よって、同じパスワードを入力するための操作が１つの操作に固定されず、パスワードの入力するときの指の動き等によってパスワードが解読されにくい。
【０１０３】
さらに、本実施の形態によれば、第２キー５０１に描かれた数字（構成要素）により、ユーザは、タッチ操作の移動方向に割り当てられた数字（構成要素）を認識できるので、所望の数字（構成要素）を入力するための方向へ、容易にフリック操作またはスライド操作を行うことができる。
【０１０４】
さらに、本実施の形態によれば、クリアキー２００の１度の操作により、同時に入力された２桁分の数字（構成要素）を削除できるので、ユーザは、削除操作を容易に行うことが可能となる。
【０１０５】
＜変更例１＞
図１１は、本変更例に係る、パスワード解除処理について説明するための図である。
図１１（ａ）は、本変更例のパスワードの構成を示す図である。図１１（ｂ）は、本変更例の２桁入力処理の処理手順を示す図である。
【０１０６】
本変更例では、図１１（ａ）に示すように、パスワードが、複数桁の数字からなる第１グループと第１グループに続く複数桁の数字からなる第２グループとに分かれている。第１グループと第２グループの桁数は同じとされている。
【０１０７】
本変更例では、パスワード解除処理において、図６（ａ）に示す２桁入力処理に替えて、図１１（ｂ）に示す２桁入力処理が実行される。図１１（ａ）の２桁入力処理では、図６（ａ）の２桁入力処理におけるステップＳ２０５の処理およびステップＳ２０６の処理が、ステップＳ２１１の処理およびステップＳ２１２の処理に置き換えられている。
【０１０８】
本変更例では、ユーザは、一度に２桁の数字を入力する場合、第１グループの数字に対応する第１キー１０１に対して、第１グループの数字と同じ桁の第２グループの数字が表示された第２キー５０１の方向にフリック操作またはスライド操作を行う。
【０１０９】
解除制御部２２は、数字の入力が可能であれば（Ｓ２０１：ＹＥＳ）、第１キー１０１
に対するフリック操作またはスライド操作におけるタッチ位置の移動距離を求め（Ｓ２０２）、タッチ位置の移動距離が閾値を超えていれば（Ｓ２０３：ＹＥＳ）、タッチ位置の移動方向を求める（Ｓ２０４）。
【０１１０】
次に、解除制御部２２は、第１キー１０１に割り当てられた数字を、第１グループにおける未入力の最上位の桁の数字として受け付ける（Ｓ２１１）。さらに、解除制御部２２は、対応テーブル１２ａを参照して、タッチ位置の移動方向に割り当てられた数字を取得し、取得した数字を、第１キー１０１に割り当てられた数字と同じ桁の第２グループの数字として受け付ける（Ｓ２１２）。
【０１１１】
表示制御部２１は、パスワード入力画面において、受け付けられた２つの数字に対応する２つの表示ボックス６０１に「＊」を表示する（Ｓ２０７）。さらに、表示制御部２１は、２つの表示ボックス６０１を、所定時間、タッチ位置の移動方向に対応する第２キー５０１と同じ色に色付けする（Ｓ２０８）。
【０１１２】
図１２は、本変更例に係る、８桁のパスワードが４回のフリック操作によって入力される例について説明するための図である。この例では、４桁の数字からなる第１グループおよび４桁の数字からなる第２グループによりパスワードが構成されている。第１グループの４桁の数字は「１２３４」とされ、第２グループの４桁の数字は「５６７８」とされている。
【０１１３】
図１２に示すように、表示ボックス群６００は、第１グループに対応する４桁の表示ボックス６０１の下に、第２グループに対応する４桁の表示ボックス６０１が配されるよう構成されている。
【０１１４】
ユーザは、まず、１番の第１キー１０１に対して、５番の第２キー５０１の方向にフリック操作を行う。第１グループの１桁目の数字として「１」が受け付けられ、第２グループの１桁目の数字として「５」が受け付けられる。第１グループの１桁目と第２グループの１桁目に対応する表示ボックス６０１に「＊」が表示され、２つの表示ボックス６０１が、所定時間、５番の第２キー５０１と同じ色に色付けされる。
【０１１５】
次に、ユーザは、２番の第１キー１０１に対して、６番の第２キー５０１の方向にフリック操作を行う。第１グループの２桁目の数字として「２」が受け付けられ、第２グループの２桁目の数字として「６」が受け付けられる。第１グループの２桁目と第２グループの２桁目に対応する表示ボックス６０１に「＊」が表示され、２つの表示ボックス６０１が、所定時間、５番の第２キー５０１と同じ色に色付けされる。
【０１１６】
同様にして、ユーザは、３番の第１キー１０１に対して、７番の第２キー５０１の方向にフリック操作を行うことにより、第１グループの３桁目の「３」の数字と第２グループの３桁目の「７」の数字を入力できる。さらに、ユーザは、４番の第１キー１０１に対して、８番の第２キー５０１の方向にフリック操作を行うことにより、第１グループの４桁目の「４」の数字と第２グループの４桁目の「８」の数字を入力できる。こうして、パスワードの入力が完了する。
【０１１７】
このように、本変更例では、第１キー１０１に対するフリック操作によってパスワードを構成する数字が桁順に入力されない。よって、他人にパスワードの入力操作を見られても、パスワードが解読されにくい。
【０１１８】
＜その他＞
以上、本発明の実施の形態について説明したが、本発明は、上記実施の形態によって何
ら制限されるものではなく、また、本発明の実施の形態も、上記以外に種々の変更が可能である。
【０１１９】
たとえば、上記実施の形態では、パスワード入力画面において、第１入力キー群１００の周囲に第２入力キー群５００が配されている。しかしながら、第２入力キー群５００に替えて、第２入力キー群５００と同様な表示形態ではあるが、パスワードを入力するためのキーとしての機能は有さず、タッチ位置の移動方向に割り当てられた数字（構成要素）をユーザに視覚的に通知する機能を果たすオブジェクトが第１入力キー群１００の周囲に配されてもよい。さらに、第１入力キー群１００の周囲に第２入力キー群５００や上記オブジェクトが配されなくてもよい。
【０１２０】
また、上記実施の形態では、パスワード入力画面における表示ボックス６０１に、受け付けられた数字の代わりに「＊」等の記号が表示される。しかしながら、このように数字が受け付けられた時点で表示ボックス６０１に「＊」等の記号が表示されてもよいが、数字が受け付けられた時点ではその数字が表示され、一定時間が経過すると、数字が「＊」等の記号に置き換わるようにしてもよい。
【０１２１】
さらに、上記実施の形態では、パスワードを構成する構成要素に数字が用いられている。しかしながら、これに限らず、たとえば、構成要素として、数字に替えて、あるいは数字に加えて、アルファベット、ひらがな等の文字や記号が用いられてもよい。
【０１２２】
さらに、上記実施の形態では、タッチ位置の移動方向に数字が割り当てられている。しかしながら、第１キー１０１からの方向がパスワードの構成要素とされてもよい。たとえば、図１３（ａ）に示すように、第１キー１０１から上方向、下方向、左方向および右方向がパスワードの構成要素とされてもよい。この場合、たとえば、真上を中心とする４５度の角度範囲を含むタッチ位置の移動方向に「上」の方向が割り当てられる。同様に、真下、左の真横および右の真横を中心とする４５度の角度範囲を含むタッチ位置の移動方向に、それぞれ、「下」、「左」および「右」の方向が割り当てられる。図１３（ｂ）に示すように、パスワードが「１上２右」に設定されている場合、ユーザは、１番の第１キー１０１に対して、上方向にフリック操作を行い、次に、２番の第１キー１０１に対して、右方向にフリック操作を行うことにより、パスワードである「１上２右」を入力できる。
【０１２３】
なお、上記実施の形態では、パスワードの設定画面については詳細に記載されていないが、パスワードの構成要素が数字の場合は、従来のパスワード設定画面を用いることができる。また、図１３に示すように、第１キー１０１からの方向がパスワードの構成要素とされている場合には、ユーザが設定した数字と方向とを認識できるよう、たとえば、図１４（ａ）〜（ｃ）に示すようなパスワード設定画面が用いられてもよい。図１４（ａ）〜（ｃ）に示すパスワード設定画面は、入力キー群７０１と、ＯＫキー７０２と、キャンセルキー７０３と、表示ボックス群７０４とを含む。図１４（ａ）では、ユーザが設定した数字と方向を示す文字とが表示ボックス群７０４に表示される。図１４（ｂ）では、ユーザが設定した数字と方向を示す矢印とが表示ボックス群７０４に表示される。図１４（ｃ）では、表示ボックス群７０４にユーザが設定した数字が表示されるとともに、その表示ボックス群７０４の上下左右にユーザが設定した方向を示す目印（黒丸）が表示される。なお、これらは一例であり、ユーザが設定した数字と方向とを認識できるような他の方法でパスワード設定画面が表示されてもよい。
【０１２４】
さらに、上記実施の形態では、４桁のパスワードが設定されている例と８桁のパスワードが設定されている例とが示されているが、パスワードの桁数を、所定の設定画面を用いて、ユーザが設定できてもよい。
【０１２５】
本発明は、携帯電話機に限られず、ＰＤＡ（Personal DigitalAssistant）、タブレットＰＣ（Tablet PC）、電子書籍端末等の各種の携帯端末装置に適用可能である。
【０１２６】
この他、本発明の実施形態は、特許請求の範囲に示された技術的思想の範囲内において、適宜、種々の変更が可能である。
【符号の説明】
【０１２７】
３  表示面
１１  制御部
１３  表示部
１４  タッチ検出部（検出部）
２１  表示制御部
２２  解除制御部
１００  第１入力キー群（第１オブジェクト群）
１０１  第１キー（第１オブジェクト）
２００  クリアキー（第３オブジェクト）
５００  第２入力キー群（第２オブジェクト群）
５０１  第２キー（第２オブジェクト）
６００  表示ボックス群
６０１  表示ボックス（表示領域）
【図１】
2014048738.tif 000003
【図２】
2014048738.tif 000004
【図３】
2014048738.tif 000005
【図４】
2014048738.tif 000006
【図５】
2014048738.tif 000007
【図６】
2014048738.tif 000008
【図７】
2014048738.tif 000009
【図８】
2014048738.tif 000010
【図９】
2014048738.tif 000011
【図１０】
2014048738.tif 000012
【図１１】
2014048738.tif 000013
【図１２】
2014048738.tif 000014
【図１３】
2014048738.tif 000015
【図１４】
2014048738.tif 000016